(57)【要約】【課題】パレンタルロックの設定及び解除を容易に行うことができると共に、視聴制限の対象となる視聴者に対して、視聴制限のあるコンテンツを不用意に視聴させてしまう事態を回避することができるパレンタルロック装置を提供する。【解決手段】パレンタルロック装置は、車両の後部座席に備えられるチャイルドロック機構の設定状態に連動して開閉するチャイルドロック連動スイッチ１０と、コンテンツを視聴するためのオーディオ機器２０とから構成される。オーディオ機器２０は、チャイルドロック連動スイッチ１０と接続してチャイルドロック機構の設定状態を示す電気信号を入力するインターフェース回路２１と、このインターフェース回路２１を介して入力したチャイルドロック機構の設定状態に基づいてパレンタルロックの設定又は解除制御を行う制御部２２とを備える。【選択図】      図１
2004297602.tif 000002
【特許請求の範囲】
【請求項１】
車両に搭載されて、車両内のユーザに視聴コンテンツを提供する機器に対する視聴制限を設定する車両用視聴制限装置であって、
前記車両に搭載されるチャイルドロック機構の設定状態を入力する入力手段と、
前記入力手段を介して入力した前記チャイルドロック機構の設定状態に基づいて前記車両内での視聴制限レベルを設定し、当該チャイルドロック機構の設定状態に基づく視聴制限レベルと、前記視聴コンテンツに設定された視聴制限レベルとを比較して、前記機器に対する視聴制限の設定又は解除の制御を行う制御手段と
を備えることを特徴とする車両用視聴制限装置。
【請求項２】
前記チャイルドロック機構の設定状態に連動して開閉するチャイルドロック連動スイッチを更に備え、
前記チャイルドロック連動スイッチは、前記チャイルドロック機構が設定された場合には、オン状態とされて前記チャイルドロック機構が設定されている旨を示す電気信号を前記入力手段を介して前記制御手段に伝達することを特徴とする請求項１に記載の車両用視聴制限装置。
【発明の詳細な説明】
【０００１】
【発明の属する技術分野】
本発明は、車両に搭載される映像機器や音響機器に対して視聴制限を設定する車両用視聴制限装置に関する。
【０００２】
【従来の技術】
近年、いわゆるＤＶＤ（Ｄｉｇｉｔａｌ  Ｖｅｒｓａｔｉｌｅ  Ｄｉｓｃ）等を再生する各種オーディオ機器が広く普及しているが、例えば暴力シーンといったように、視聴者によっては映像や音声の内容が児童などに適切でない場合があり、これに対する対策として、視聴年齢に制限を設けるいわゆるパレンタルロック機能がオーディオ機器に付加されている。
【０００３】
具体的には、パレンタルロック機能とは、ＤＶＤに適用する場合には、媒体に記録されたコンテンツに対してパレンタルレベルと称される視聴制限レベルを設定し、この媒体をプレーヤによって再生する際に、ユーザが所定の暗証番号を入力しない限り再生しないように設定する機能である。
【０００４】
また、このパレンタルロック機能は、コンテンツを再生するオーディオ機器のみならず、例えば移動体向け地上波ディジタル放送や移動体向け衛星ディジタル放送においても適用される予定であり、放送を受信するテレビやラジオ等の受信機を用いて成人向け等の所定の番組に対して視聴制限を行うことが予定されている。
【０００５】
なお、このパレンタルロック機能を具体的に適用した例として、例えば下記の非特許文献１に記載された車載用ＤＶＤプレーヤにおけるパレンタルロックの設定方法や、下記の非特許文献２に記載された市販ＤＶＤプレーヤにおけるパレンタルロックの設定方法が知られている。
【０００６】
具体的には、これら非特許文献１及び非特許文献２には、それぞれ、所定のパレンタルレベルが設定されているＤＶＤソフトウェアを再生するＤＶＤプレーヤに搭載されたパレンタルロック機能について記載されている。このＤＶＤプレーヤは、暗証番号等を入力する必要がなく無条件に再生可能とするパレンタルレベルをユーザが任意に指定可能となっており、再生しようとするＤＶＤソフトウェアのパレンタルレベルが、ユーザが指定した値以上の場合には、登録した暗証番号を入力することにより、再生可能とするものである。
【０００７】
【非特許文献１】
日産自動車株式会社，「前席液晶モニターでＤＶＤを見る−パレンタルレベル設定」，Ｆ５０シーマ取扱い説明書，ｐ．９５
【０００８】
【非特許文献２】
パイオニア株式会社，「いろいろな設定−視聴制限をする（パレンタルロック）」，ＤＶＤプレーヤ  ＤＶ−Ｓ７４７Ａ取扱い説明書，ｐ．７１
【０００９】
【発明が解決しようとする課題】
しかしながら、上述した従来のパレンタルロック機能を搭載するオーディオ機器においては、パレンタルレベルが高いコンテンツを視聴したい場合には、その都度暗証番号を入力する必要があった。また、従来のこの種のオーディオ機器を車両に搭載した場合おいては、一度パレンタルロックの設定を行った後、その設定を継続させる機能を備える場合には、視聴制限の対象となる児童等が車両に対して乗り降りする度に、暗証番号を入力する必要があった。
【００１０】
このように、従来のオーディオ機器においては、暗証番号の入力作業が煩わしく、その分、設定操作時間が長くなるという問題があった。
【００１１】
また、このオーディオ機器においては、通常、エンジンを始動した際に、当該エンジンを始動する前までに視聴していたパレンタルレベルを使用して自動再生する。したがって、この種のオーディオ機器においては、パレンタルロックの設定を一度行った後に、その設定を継続させる機能を備える場合には、視聴制限の対象となる児童等を車両に乗せてエンジンを始動すると、暗証番号を入力して設定を変更するまでの間は、視聴制限のあるコンテンツを児童等に視聴させてしまう場合があった。
【００１２】
そこで、本発明は、上述した実情に鑑みて提案されたものであり、視聴制限の設定及び解除を容易に行うことができると共に、視聴制限の対象となる視聴者に対して、視聴制限のあるコンテンツを不用意に視聴させてしまう事態を回避することができる車両用視聴制限装置を提供するものである。
【００１３】
【課題を解決するための手段】
本発明では、車両に搭載されて、車両内のユーザに視聴コンテンツを提供する機器に対する視聴制限を設定する車両用視聴制限装置であって、入力手段により車両に搭載されるチャイルドロック機構の設定状態を入力すると、制御手段により、チャイルドロック機構の設定状態に基づいて前記車両内での視聴制限レベルを設定し、当該チャイルドロック機構の設定状態に基づく視聴制限レベルと、前記視聴コンテンツに設定された視聴制限レベルとを比較して、前記機器に対する視聴制限の設定又は解除の制御を行うことで、上述の課題を解決する。
【００１４】
【発明の効果】
本発明に係る車両用視聴制限装置によれば、チャイルドロック機構の設定状態を入力するのみで視聴制限の設定及び解除を行って、視聴制限に関する設定操作時間を短縮することができ、視聴制限の設定及び解除を容易に行うことができると共に、視聴制限のある視聴コンテンツを車両走行始動時に視聴制限の対象となる児童等に視聴させてしまう事態を確実に回避することができる。
【００１５】
【発明の実施の形態】
以下、本発明を適用した具体的な実施の形態について図面を参照しながら詳細に説明する。
【００１６】
この実施の形態は、所定の移動体の例としての車両に搭載されるオーディオ機器に対する視聴制限（パレンタルロック）を設定するパレンタルロック装置である。このパレンタルロック装置が搭載される車両は、例えば後部座席ドアにいわゆるチャイルドロック機構が搭載されているものである。そして、パレンタルロック装置は、このチャイルドロック機構と連動して動作することにより、パレンタルロックの設定及び解除を容易に行うことができると共に、視聴制限の対象となる視聴者に対して、視聴制限のあるコンテンツを不用意に視聴させてしまう事態を回避することができるものである。
【００１７】
［パレンタルロック装置の構成］
パレンタルロック装置は、図１に示すように、車両の後部座席に備えられるチャイルドロック機構の設定状態に連動して開閉するチャイルドロック連動スイッチ１０と、コンテンツを視聴するためのオーディオ機器２０とから構成される。
【００１８】
チャイルドロック連動スイッチ１０は、車両に乗車している児童等が不用意にドアを室内から開けることがないように設けられるチャイルドロック機構の設定状態に連動して開閉する。
【００１９】
ここで、チャイルドロック機構は、通常、機械的なレバーとロック機構から構成されるが、ここでのチャイルドロック機構は、これらの機械的構造に加えて電気的接点を設け、設定状態を電気信号として出力することが可能に構成される。すなわち、チャイルドロック連動スイッチ１０は、チャイルドロック機構が設定された場合には、閉塞してオン状態とされる一方で、チャイルドロック機構が解除された場合には、開放してオフ状態とされる。
【００２０】
このようなチャイルドロック連動スイッチ１０は、所定のインターフェースを介してオーディオ機器２０と接続され、オン状態又はオフ状態とされるのに応じて、このオーディオ機器２０との間で接続又は遮断する。そして、チャイルドロック連動スイッチ１０は、オン状態とされてオーディオ機器２０と接続することにより、チャイルドロック機構が設定されている旨を示す電気信号をオーディオ機器２０に伝達する。
【００２１】
オーディオ機器２０は、例えば、ＤＶＤ（Ｄｉｇｉｔａｌ  Ｖｅｒｓａｔｉｌｅ  Ｄｉｓｃ）プレーヤや、テレビやラジオ等の受信機といった、各種コンテンツを視聴可能に再生する車載機器である。
【００２２】
具体的には、オーディオ機器２０は、チャイルドロック連動スイッチ１０と接続してチャイルドロック機構の設定状態を示す電気信号を入力する入力手段であるインターフェース回路２１と、このインターフェース回路２１を介して入力したチャイルドロック機構の設定状態に基づいてパレンタルロックの設定又は解除制御を行うＣＰＵ（Ｃｅｎｔｒａｌ  Ｐｒｏｃｅｓｓｉｎｇ  Ｕｎｉｔ）等の制御手段である制御部２２とを備える。なお、図１においては、コンテンツの再生や受信を行うための具体的な構造については省略している。
【００２３】
このようなオーディオ機器２０は、チャイルドロック連動スイッチ１０から伝達されたチャイルドロック機構が設定されている旨を示す電気信号をインターフェース回路２１を介して入力すると、この電気信号に基づいて、チャイルドロック機構が設定されているか否かを制御部２２によって判定し、これに応じて、パレンタルロックの設定又は解除を行う。
【００２４】
［パレンタルロック装置の動作］
このようなパレンタルロック装置は、図２に示すような一連の処理を実行することにより、パレンタルロックの設定又は解除を行う。
【００２５】
まず、パレンタルロック装置においては、図２に示すように、ステップＳ１において、車両のエンジンを始動するのに応じてオーディオ機器２０の電源がオン状態とされる。
【００２６】
続いて、制御部２２は、ステップＳ２において、チャイルドロック連動スイッチ１０からインターフェース回路２１を介して電気信号が入力されたか否かに基づいて、チャイルドロック機構が設定されているか否かを判定する。
【００２７】
ここで、制御部２２は、チャイルドロック機構が設定されていないと判定した場合には、コンテンツを視聴させたくない児童等が乗員として乗車していないと判断し、ステップＳ３において、チャイルドロック機構の状態に基づくパレンタルロックを解除状態とする。すなわち、ステップＳ３においては、以前に設定されていたパレンタルレベルとする。
【００２８】
そして、制御部２２は、ステップＳ４において、以前に設定されていたパレンタルレベルよりもコンテンツに設定されているパレンタルレベルが低い場合に、コンテンツを視聴可能とし、ＤＶＤ等に記録されているコンテンツの再生出力や受信した放送の出力を行い、一連の処理を終了する。
【００２９】
一方、制御部２２は、チャイルドロック機構が設定されていると判定した場合には、コンテンツを視聴させたくない児童等が乗員として乗車していると判断し、ステップＳ５において、チャイルドロック機構が設定されているときのパレンタルレベルにてパレンタルロック設定状態する。ここで、制御部２２では、チャイルドロック機構が設定されていないときのパレンタルレベル、チャイルドロック機構が設定されているときのパレンタルレベルを保持している。このチャイルドロック機構の状態に応じた２つのパレンタルレベルは、予めユーザにより設定されて、制御部２２内のメモリに記憶されている。
【００３０】
続いて、制御部２２は、ステップＳ６において、例えばＤＶＤからパレンタルレベルに関する情報を読み出し、当該コンテンツに設定されているパレンタルレベルと、ステップＳ５にて設定したパレンタルレベルとを比較し、コンテンツに設定されているパレンタルレベルが、ステップＳ５にて設定したパレンタルレベル以上であるか否かを判定する。
【００３１】
ここで、制御部２２は、コンテンツに設定されているパレンタルレベルが指定されているパレンタルレベルよりも小さいと判定した場合には、乗員に対して視聴制限がないコンテンツであると判断し、ステップＳ７において、コンテンツを視聴可能とし、ＤＶＤに記録されているコンテンツの再生出力や受信した放送の出力を行い、一連の処理を終了する。
【００３２】
一方、制御部２２は、コンテンツに設定されているパレンタルレベルが指定されているパレンタルレベル以上であると判定した場合には、乗員に対して視聴制限があるコンテンツであると判断し、ステップＳ８において、コンテンツを視聴不可能として出力しないように制御を行い、一連の処理を終了する。
【００３３】
パレンタルロック装置は、このような一連の処理を経ることにより、パレンタルロックの設定又は解除を行い、コンテンツの視聴制限を行うことができる。
【００３４】
なお、パレンタルロック装置においては、従来の暗証番号の入力操作による制御を併用することもでき、チャイルドロック機構が設定されている場合であっても、暗証番号の入力に応じてコンテンツを視聴可能に変更することも任意に行うことができる。
【００３５】
［実施形態の効果］
以上詳細に説明したように、本発明を適用したパレンタルロック装置は、チャイルドロック機構の設定状態に基づいて、オーディオ機器２０における制御部２２によってパレンタルロックの設定又は解除制御を行うことにより、暗証番号の入力作業等を行う必要がなく、設定操作時間を短縮することができ、パレンタルロックの設定及び解除を容易に行うことができる。また、パレンタルロック装置は、パレンタルロックの設定を一度行った後、その設定を継続させる機能を備える場合であっても、視聴制限のあるコンテンツをエンジン始動時に視聴制限の対象となる児童等に視聴させてしまう事態を確実に回避することができる。
【００３６】
さらに、パレンタルロック装置は、チャイルドロック機構の設定状態に連動して開閉するチャイルドロック連動スイッチ１０を備え、チャイルドロック機構が設定された場合には、このチャイルドロック連動スイッチ１０がオン状態とされてチャイルドロック機構が設定されている旨を示す電気信号がインターフェース回路２１を介してオーディオ機器２０に伝達されるように構成されているので、既存の機構を大幅に変更することなく、極めて簡易な構成であってもパレンタルロックの設定及び解除を実現することができる。
【００３７】
なお、上述の実施形態は本発明の一例である。このため、本発明は、上述の実施形態に限定されることはなく、この実施形態以外の形態であっても、本発明に係る技術的思想を逸脱しない範囲であれば、設計等に応じて種々の変更が可能であることは勿論である。
【図面の簡単な説明】
【図１】本発明を適用したパレンタルロック装置の構成を示すブロック図である。
【図２】本発明を適用したパレンタルロック装置における一連の処理を説明するフローチャートである。
【符号の説明】
１０  チャイルドロック連動スイッチ
２０  オーディオ機器
２１  インターフェース回路
２２  制御部
【図１】
2004297602.tif 000003
【図２】
2004297602.tif 000004